(57)【特許請求の範囲】
【請求項１】
磁界を受け取り、磁気誘導により電気エネルギーを生成する受け取り装置（１）であって、
−  前記受け取り装置（１）は、電線のコイル（３３、３５、３７）を少なくとも１つ備え、前記磁界は動作中に前記コイル（３３、３５、３７）に電圧を誘起し、前記コイル（３３、３５、３７）はインダクタンスを備え、
−  前記受け取り装置（１）及び前記コイル（３３、３５、３７）は、受け取り側から前記磁界を受け取るように適合され、
−  前記受け取り装置（１）は、前記少なくとも１つのコイル（３３、３５、３７）及び前記受け取り装置（１）の更なる部品を囲むケース（２、３）を備え、
−  前記受け取り装置（１）は、キャパシタンスを有する少なくとも１つのキャパシタ（１１５）を備え、前記キャパシタ（１１５）は、前記コイルまたは前記コイル（３３、３５、３７）の少なくとも１つに電気的に接続されて、前記コイル（群）（３３、３５、３７）の前記インダクタンス（群）及び前記キャパシタ（群）（１１５）の前記キャパシタンス（群）に応じた共振周波数を有する電気回路（１１１）を形成し、
−  前記少なくとも１つのキャパシタ（１１５）は、前記受け取り側の反対側に配置され、かつ、前記ケース（２、３）の凸部（５）の中に配置される、
ことを特徴とする受け取り装置（１）。
【請求項２】
前記ケース（２、３）は、前記受け取り側の第１の面及び前記受け取り側の反対側の第２の面を規定する扁平構成を有し、前記第１の面及び前記第２の面は、前記第１の面及び前記第２の面より小さい前記ケース（２、３）の側面領域によって接続され、前記側面領域は、各側面について前記受け取り側でもなく前記受け取り側の反対側でもなく、別の側に向いていることを特徴とする請求項１に記載の受け取り装置。
【請求項３】
前記ケース（２、３）の前記凸部（５）は前記第２の面の中心に配置されることを特徴とする請求項２に記載の受け取り装置。
【請求項４】
前記凸部（５）は細長く、前記第２の面の中心線に沿って延在することを特徴とする請求項３に記載の受け取り装置。
【請求項５】
前記ケース（２、３）の前記凸部（５）は細長く、前記少なくとも１つのキャパシタ（１１５）及び、−前記受け取り装置（１）の動作中に、−前記少なくとも１つのコイル（３３、３５、３７）を別の装置に、電気的に接続する接続電線（１１２、１１３、１１４）を収容することを特徴とする請求項１〜４のいずれか一項に記載の受け取り装置。
【請求項６】
前記ケース（２、３）は、前記受け取り側に第１の面を形成する第１の構成要素（２）を備え、前記受け取り側の反対側に第２の面を形成する第２の構成要素（３）を備え、前記第２の構成要素（３）は前記ケース（２、３）の前記凸部（５）を備えることを特徴とする請求項１〜５のいずれか一項に記載の受け取り装置。
【請求項７】
磁界を受け取り、磁気誘導により電気エネルギーを生成する受け取り装置（１）を製造する方法であって、
−  凸部（５）を有するケース（２、３）が、製造される前記受け取り装置（１）の部品を囲むために設けられ、
−  電線のコイル（３３、３５、３７）が、少なくとも１つ前記ケース（２、３）内に配置され、前記コイル（３３、３５、３７）は、前記受け取り装置（１）の動作中に前記磁界が前記コイル（３３、３５、３７）に電圧を誘起できるようにインダクタンスを備え、
−  前記ケース（２、３）内の前記コイル（３３、３５、３７）及びその構成は、前記磁界を受け取り側から受け取るように適合され、
−  少なくとも１つのキャパシタ（１１５）が設けられ、前記キャパシタ（１１５）は、キャパシタンスを有し、前記コイル（３３、３５、３７）または前記コイルの少なくとも１つに電気的に接続されて、前記コイル（群）（３３、３５、３７）の前記インダクタンス（群）及び前記キャパシタ（群）（１１５）の前記キャパシタンス（群）に応じた共振周波数を有する電気回路（１１１）を形成し、
−  前記少なくとも１つのキャパシタ（１１５）は、前記受け取り側の反対側に配置され、かつ、前記ケース（２、３）の前記凸部（５）の中に配置される、
ことを特徴とする方法。
【請求項８】
前記ケース（２、３）は、前記受け取り側の第１の面及び前記受け取り側の反対側の第２の面を規定する扁平構成を有し、前記第１の面及び前記第２の面は、前記第１の面及び前記第２の面より小さい前記ケース（２、３）の側面領域によって接続され、前記側面領域は、各側面について、前記受け取り側でもなく前記受け取り側の反対側でもなく、別の側に向いていることを特徴とする請求項７に記載の方法。
【請求項９】
前記ケース（２、３）の前記凸部（５）は前記第２の面の中心に配置されることを特徴とする請求項８に記載の方法。
【請求項１０】
前記凸部（５）は細長く、前記第２の面の中心線に沿って延在することを特徴とする請求項９に記載の方法。
【請求項１１】
前記ケース（２、３）の前記凸部（５）は細長く、−前記受け取り装置（１）の動作中に、−前記少なくとも１つのコイル（３３、３５、３７）を別の装置（１２０）に、電気的に接続する接続電線（１１２、１１３、１１４）が、前記少なくとも１つのキャパシタ（１１５）に加えて前記凸部（５）内に配置されることを特徴とする請求項７〜１０のいずれか一項に記載の方法。
【請求項１２】
前記受け取り側に第１の面を形成する第１の構成要素（２）を備え、且つ前記受け取り側の反対側に第２の面を形成する第２の構成要素（３）を備えるケース（２、３）が使用され、前記第２の構成要素（３）は前記ケース（２、３）の前記凸部（５）を備えることを特徴とする請求項７〜１１のいずれか一項に記載の方法。
【請求項１３】
請求項１〜６のいずれか一項に記載の前記受け取り装置（１）を備え、更に整流器（１２０）を備える構成であって、前記整流器（１２０）は、前記受け取り装置（１）の前記少なくとも１つのコイル（３３、３５、３７）に電気的に接続され、前記少なくとも１つのコイル（３３、３５、３７）によって生成される交番電流を整流するように適合され、前記整流器（１２０）は、前記受け取り装置（１）の前記ケース（２、３）の前記凸部（５）に沿って配置される筐体（１２１）によって収容されることを特徴とする構成。
【発明の詳細な説明】
【技術分野】
【０００１】
本発明は、特に車両によって使用される、磁界を受け取り、磁気誘導により電気エネルギーを生成する受け取り装置に関する。本発明はそのような受け取り装置を製造する方法、並びに受け取り装置及び整流器を備える構成にも関する。具体的には、道路用自動車、バス、バン、トラックなどのほか、フォークリフト車などの荷物運搬車、及び鉄道車両のような車両へのエネルギーの無線伝送の分野に技術的な応用がある。受け取り装置は少なくともキロワット程度、例えば２０ｋＷの率で電力を生成するように適合されるものである。
【背景技術】
【０００２】
特許文献１には、電磁界を受け取り、電磁界から誘導によって電気エネルギーを生成し、負荷部に電気エネルギーを提供する、特に鉄道車両（例えば、路面電車）または道路車両にエネルギーを提供する構成が開示されている。誘導によって電気エネルギーを生成するために、受け取り構成は、導電体の１巻以上の巻回によって実現され得る少なくとも１つのインダクタを備える。受け取り構成からの電気エネルギーが負荷部に提供されている間、インダクタによって生成され、その結果得られる交番電流は整流される。整流器の出力側は負荷部に接続される。受け取り構成は電磁界を受け取る３相を有することができ、整流器は受け取り構成の３相線に接続することができる。各位相はインダクタンス及びキャパシタンスを備え、キャパシタンスはいずれも少なくとも１つのキャパシタによって実現することができる。
【０００３】
そのような受け取り装置または別の受け取り装置を、道路用自動車などの既存の自動車両の中に統合する需要がある。車両の最大積載量はできるだけ影響されないようにすべきであるので、受け取り装置の重量は小さくあるべきである。更に、受け取り装置の構築及び受け取り装置の取り付けは安定しており且つ組み立ても簡単であるべきである。特に車両の車体の底部の領域に存在する空間を利用すべきである。典型的には、（交番電磁界の部分としての）磁界が車両の底部の下の装置によって生成される。それ故に、典型的に車両の底部に取り付けられる受け取り装置は磁界を下から、すなわち底部側から受け取る。しかしながら、受け取り装置を別の（水平方向のような）方向に向けることは、磁界生成装置がこの方向に配置される場合には、可能である。一般的に言えば、受け取り装置は受け取り側を有し、磁界は動作中に受け取り装置またはそのケースの受け取り側に入る。
【０００４】
特許文献２には、受け取り部が組み込まれている被覆素子が開示されている。受け取り部は、電気エネルギーの無接触伝送用の受け取りコイル、及び受け取りコイルに割り当てられ、磁界強度を集中させるように設計され、空気に比べて高い透磁率を有する材料から作られる複数の流れ伝導素子を備える。
【先行技術文献】
【特許文献】
【０００５】
【特許文献１】国際公開第２０１２／０１０６４９（Ａ２）号
【特許文献２】欧州特許第２  ０８１  ７９２（Ｂ１）号
【発明の概要】
【発明が解決しようとする課題】
【０００６】
受け取り装置、そのような受け取り装置を製造する方法、並びに／または受け取り装置及び整流器を備える構成を提供することが本発明の目的であり、受け取り装置の組み立てが容易にでき任意選択的に整流器も組み立てが容易にでき、受け取り装置をユニット、具体的には車両、に安定した方法で取り付けることができ、ユニットの表面の既存の空間を、受け取り装置または整流器の少なくとも一部を受けるために利用するものとする。
【課題を解決するための手段】
【０００７】
本発明の基本的な考え方によれば、受け取り装置は、電線のコイルを少なくとも１つ及び受け取り装置の更なる部品を囲むケースを備える。当該コイルまたは当該コイルの少なくとも１つに電気的に接続される少なくとも１つのキャパシタがケースの凸部に配置される。
【０００８】
ケースを使用することが、受け取り装置の組み立て及びユニット（例えば、車両）への受け取り装置の取り付けを容易にする。更に、ケースの凸部に少なくとも１つのキャパシタを配置することは、ユニットの表面の対応する凹部にキャパシタ（群）を配置することを可能にする。これは、結果的に取り付けの安定性を向上し、ユニットの表面に隣接して受け取り装置を取り付けるために更に必要な空間の大きさを低減する。具体的には、既存の車両または車両の既存のタイプの底部は、典型的には受け取り装置のケースの凸部を配置できる凹部を備える。多くの場合、道路用自動車は車体の底部にトンネルの形状の凹部領域を備える。トンネルの形状の凹部領域は細長く、車両の中心線にほぼ沿って走行方向に延在する。それ故に、受け取り装置のケースは、ケースの上面に、より一般的に言えば、動作中に磁界が受け取り装置に入る受け取り側の反対側に、対応する形状の凸部を有することが好ましい。
【０００９】
特に、細長い凸部だけでなく、その他の凸部も、少なくとも１つのキャパシタまたは少なくともキャパシタの１つを収容するために使用するだけでなく、受け取り装置の少なくとも１つのコイルから整流器のような外部装置への電気的接続を支えるために使用することができるであろう。細長い凸部の場合、接続ケーブルは凸部の縦軸に沿って延在することもできる。具体的には、接続ケーブルは、受け取り装置の（周辺領域とは対照的な）中央領域で少なくとも１つのコイルに接続でき、凸部を通って外部装置にまで延在することができる。
【００１０】
好ましくは、受け取り装置のコイルまたはコイル群は、コイルまたはコイル群から見た場合受け取り側の反対側に好ましくは配置される強磁性材料及び／または（フェライトのような）フェリ磁性材料と組み合わされる。磁性材料の磁気的状態が変わる可能性があるので、同義語「磁化可能な材料」も使用できる。具体的には、磁性材料は、受け取り側が底部側である場合、コイルまたはコイル群の上に配置される。従って、磁界の磁力線は、受け取り装置の受け取り側に入り、コイルまたはコイル群によって占められる領域を貫通し、磁性材料内で方向を変え、束にされて、磁界生成装置に戻る。
【００１１】
好ましくは、（受け取り側からその反対側への方向で測られる）磁性材料層の高さは、もし受け取り装置が交番電流の様々な位相を生成するコイルを備え、異なる位相のコイルがコイルで占められる領域において互いに重なる場合、変化する。具体的には、コイルの占める領域はコイルの巻回が回っている全領域を含む。磁気層の高さは、異なる位相のコイルまたは異なるコイルの電線が重ならない第２の領域に比べて、異なる位相のコイルが重なる、特に異なるコイルの電線が互いに重なる第１の領域においてより大きい。
【００１２】
具体的には、コイルまたはコイル群と磁性材料との間に、電気的絶縁性材料及び／または弾性材料の層を配置することができる。磁性材料が導電性である場合、この層はその材料を絶縁し、弾性層の場合、コイル及び磁性材料の機械的振動及び摩耗が妨げられる。
【００１３】
磁性材料の高さが異なる場合、高さの違いが、磁性材料に比べて単位体積当たりの重量がより軽い追加の材料で補償されるのが好ましい。高さ補償により、（コイルまたはコイル群からみて）磁気層の向こう側の受け取り装置の領域において平坦な要素を使用でき、中空の空間が回避される。例えば、弾性材料の層及び／または導電材料の層（従ってこの層は電磁放射を遮蔽する）及び／または電気的絶縁性材料の層（この層は、少なくとも１つのキャパシタとキャパシタ（群）及び／またはコイルを外部装置に接続する接続線とを備える電気回路構成の基板であってもよい）は、磁性材料及び高さ補償材料で形成される領域上に配置することができる。
【００１４】
具体的には、特に車両によって使用される、磁界を受け取り、磁気誘導により電気エネルギーを生成する受け取り装置が提案され、
−  受け取り装置は電線のコイルを少なくとも１つ備え、動作中に磁界はコイルに電圧を誘起し、コイルはインダクタンスを備え、
−  受け取り装置及びコイルは受け取り側から磁界を受け取るように適合され、
−  受け取り装置は少なくとも１つのコイル及び受け取り装置の更なる他の部品を囲むケースを備え、
−  受け取り装置は、キャパシタンスを有する少なくとも１つのキャパシタを備え、そのキャパシタは、コイルまたはコイル群の少なくとも１つに電気的に接続され、コイル（群）のインダクタンス（群）及びキャパシタ（群）のキャパシタンス（群）に応じた共振周波数を有する電気回路を形成し、
−  少なくとも１つのキャパシタはケースの凸部の中の受け取り側の反対側に配置される。
【００１５】
更に、特に車両によって使用される、磁界を受け取り、磁気誘導により電気エネルギーを生成する受け取り装置を製造する方法が提案され、
−  凸部を有するケースが、製造される受け取り装置の部品を囲むために設けられ、
−  電線のコイルが少なくとも１つケース内に配置され、コイルは、受け取り装置の動作中に磁界がコイルに電圧を誘起できるようにインダクタンスを備え、
−  ケース内のコイル及びその構成は磁界を受け取り側から受け取るように適合され、
−  少なくとも１つのキャパシタが設けられ、そのキャパシタはキャパシタンスを有し、コイルまたはコイル群の少なくとも１つに電気的に接続され、コイル（群）のインダクタンス（群）及びキャパシタ（群）のキャパシタンス（群）に応じた共振周波数を有する電気回路を形成し、
−  少なくとも１つのキャパシタはケースの凸部の中の受け取り側の反対側に配置される。
【００１６】
好ましくは、受け取り装置は、誘導によって電圧を生成する電線のコイルを複数備える。具体的には、受け取り装置は誘導によって交番電流の様々な位相を生成するために複数の電気位相線を備えることができる。各位相線は少なくとも１つのコイルを形成する。好ましくは、全ての位相線は同数のコイルを形成する。
【００１７】
具体的には、コイルまたはコイル群は、いずれも、電線（少なくとも２つの位相の場合は位相線群）の少なくとも１つの巻回を備え、それぞれのコイルの巻回または巻回群は電線が巻かれる中心軸を規定する。具体的には、それぞれのコイルの巻回は、いずれもある領域の周りを回ることができ、その領域はそれぞれのコイルの各巻回に対して実質的に同じである。更に、受け取り装置の全てのコイルは巻回によって囲まれた領域を有し、その領域は実質的に同一の（ほんの数パーセントのばらつきを持つ）大きさを有することが好ましい。上述の中心軸はその領域をその中心で貫通する。好ましくは、受け取り装置のコイルまたはコイル群は平坦である、すなわち、各コイルの巻回または巻回群は平面に延在し、同一コイルの任意の異なる巻回の平面は同一であるかまたは互いに平行である。複数の位相の場合、コイル群の少なくとも１つのコイルの電線の区間は、受け取り側から見て、異なるコイル及び／または位相の電線が互いに重なることに起因して、平面外に延在する可能性がある。
【００１８】
好ましくは、同じコイルの異なる巻回の平面だけでなく異なるコイルの巻回の平面も、コイルの全体の構成が平坦になるように、同一であり、互いに平行である。これは、動作中に磁界が貫通し、コイル構成の全体の高さに比べて著しく広く且つ長い領域を、コイルが占めることを意味する。具体的には、高さは、その占められた領域の幅及び長さの１／３、好ましくは、１／５、最も好ましくは、１／１０より小さくてもよい。結果的に、コイル構成は、扁平な箱、すなわち幅及び長さに比べて小さい高さを有する箱のような形状の（上述のケースである）筐体によって収容できる。
【００１９】
より一般的に言えば、ケースは、受け取り側の第１の面及び受け取り側の反対側の第２の面を規定する扁平構成を有し、第１の面及び第２の面は、いずれも受け取り側でもなく受け取り側の反対側でもなく別の側に向いている、第１の面及び第２の面より小さいケースの面領域によって接続される。
【００２０】
具体的には、ケースは、受け取り側に第１の面を形成する第１の構成要素を備え、受け取り側の反対側に第２の面を形成する第２の構成要素を備え、第２の構成要素はケースの凸部を備える。
【００２１】
上述のように、ケースの凸部は第２の面の中心に位置するのが好ましい。具体的には、凸部は細長く、第２の面の中心線にそって延在する。更に、または代替的に、ケースの凸部は細長く、少なくとも１つのキャパシタ及び少なくとも１つのコイルを別の（外部の）装置に−受け取り装置の動作中に−電気的に接続する接続電線を収容する。
【００２２】
受け取り装置を製造する方法の実施形態は受け取り装置の実施形態の説明から得られる。
【００２３】
更に、本発明は、記載された任意の実施形態によれば、受け取り装置と、更に整流器を備える構成に関し、整流器は受け取り装置の少なくとも１つのコイルに電気的に接続され、少なくとも１つのコイルによって生成される交番電流を整流するように適合され、整流器は、受け取り装置のケースの凸部に沿って配置される筐体に収容される。
【００２４】
凸部に沿った配置とは、整流器の筐体及び凸部をユニット（例えば車両）の表面の、特に車両の車体の底部の、細長い凹部に配置することができることを意味する。凸部が細長く、特に凸部が延在する縦軸を含む場合、整流器の筐体も縦軸に沿って延在するのが好ましい。しかしながら、凸部と整流器の筐体との間に任意選択的なギャップが存在する。具体的には、接続ケーブルが凸部の内部を整流器と電気的に接続するようにギャップ内に延在してもよい。好ましくは、整流器の筐体も細長い形状を有し、細長い凸部の縦軸に沿って延在する。更に、整流器の筐体の高さが、凸部を除いた受け取り装置のケースの高さより大きいことが可能である。これは、凸部で測定した場合、ケースは他の領域に比べてより大きい高さを有することを意味する。好ましくは、ケースの受け取り側の面は平面である（すなわち、平面内に延在する）。
【００２５】
本発明の例を添付の図面を参照して説明する。図面の図を以下に示す。
【図面の簡単な説明】
【００２６】
【図１】３次元視での受け取り装置のケースの１例である。
【図２】図１に示すケースの側面の図である。
【図３】特定の実施形態に係わる、すなわち内部部品は変わる可能性がある、受け取り装置の内部部品を有する、図１及び図２に示すケースの分解図である。
【図４】コイルの構成、特に図３に示す構成の例である。
【図５】受け取り装置の内部部品を配置及び／または固定するための部品配置の特定の実施形態での図１及び図２に示すケースの基部である。
【図６】受け取り装置のコイル構成を覆う電気的絶縁性弾性材料の層である。
【図７】図６に示す層のような受け取り装置の内部の中間層及び磁性材料からなる複数のブロックを分解図で模式的に示す。
【図８】高さ補償素子だけでなく複数のコイル、中間層、及び磁性材料素子の構成も備える受け取り装置の内部部品の構成の側面図を模式的に示す。
【図９】分解図で電気的絶縁性材料からなる基板とキャパシタ及び接続線の構成を示し、キャパシタ及び接続線はケースの凸部内に配置されるとする。
【図１０】図１に示すケース及び整流器の構成である。
【図１１】道路用車両及び道路用車両への誘導によってエネルギーを伝送する構成を模式的に示し、磁界を受け取る受け取り装置は車両の底部に一体的に組み込まれる。
【図１２】図７に示す構成と組み合わせた、図５に示す構成と同様の構成の一部の断面を模式的に示す。
【図１３】図７に示す構成と組み合わせた、図４及び５に示す構成と同様の構成の一部の断面を模式的に示し、図１３の図面平面は図１２の図面平面に直角に延在する。
【発明を実施するための形態】
【００２７】
図１及び図２に示す受け取り装置１は基板２及び上部またはカバー３を有するケースを備える。基板２は下側（ケースによって収容される受け取り装置の受け取り側）に平坦な面を形成するが、カバー３によって形成される上面は全体としては平坦ではなく、平坦な領域を含むだけである。カバー３は上側（ケースまたは受け取り装置の受け取り側の反対側）に突き出る３つの細長い凸部５、６ａ、６ｂを有する。
【００２８】
図１及び図２に示す実施形態では、カバー３はケース１の側面の主要部を形成する。代替の実施形態では、ケースは外面を形成する３つ以上の構成要素を備えることができ、且つ／または側面のより大きい構成要素を図１及び図２の基板２に対応する基部によって形成することができる。
【００２９】
図１に示すように、ケースの側面はケース１を車両に、具体的には、車両のフレーム構造に固定する複数の手段を備える。例えば、固定手段８はケースを車両にねじ止めするねじ孔とすることができる。
【００３０】
カバー３の凸部５、６ａ、６ｂは細長い。すなわち、いずれも縦軸を含み、その縦軸に沿って延在する。好ましくは、凸部はケースの全長に沿って延在し、且つ好ましくは縦方向の延在に沿って同じ輪郭を有する。
【００３１】
凸部５は（幅方向に見た場合）ケースの中心に位置し、ケースの中心線に沿って、すなわちケースの縦方向に延在する。凸部５の断面は台形であり、断面は凸部５の自由上端に向かって細くなる。
【００３２】
図１及び図２に示す特定の実施形態によれば、中央の凸部５は図２に示す側面に開口部を有し、開口部は電気的接続線またはケーブルを受けるために使用できる筒状の接続部７に対して開口している。
【００３３】
中央線に沿って凸部５を有するが、脇凸部６ａ、６ｂを有さない、またはこれらの脇凸部の１つのみを有するケースのような、図１及び図２に示す実施形態の変形が可能である。
【００３４】
図３の分解図は受け取り装置の特定の実施形態を示し、受け取り装置の部品は図１及び図２に示すケースによって収納される。
【００３５】
ケースの基部２は受け取り装置の他の内部部品、具体的にはいずれも３相の２つのコイルを形成する電線を保持する保持装置１２を支える。更に、保持装置１２は、コイルの上方に位置する受け取り装置の部品を分離、保持、及び／または固定する複数の支柱を備える。具体的には、少なくとも１つの絶縁性及び／または弾性材料の中間層、磁性材料、導電性遮蔽材料の層、及び／または電気回路構成の基板を、１つ以上の支柱を使用して分離、保持、及び／または固定することができる。
【００３６】
ケースのカバー３がケースの基板２に取り付けられると、カバー３の外縁は、保持装置１２の周辺部に位置し、基板２の縁によって支持される封止１１に当接する。
【００３７】
コイル構成３１は保持装置１２の予め定義された収容空間内に配置される。交番電流の異なる位相を生成する異なる電線（位相線）は、上から（カバー３から）見た場合互いに重なるコイルを形成するので、少なくとも２つの位相の位相線は、それらが重なるところで一方が他方の上に縦方向側面に沿って延在するように、コイル構成の縦方向側面付近で上がる。この種の特定の実施形態の詳細を図４に示し、後述する。
【００３８】
コイル構成３１は好ましくは電気的に絶縁性である弾性材料の層５１で覆われる。層５１は単一または複数の片の材料で形成することができる。
【００３９】
磁化可能な材料、特にフェリ磁性材料または代替的に強磁性材料の構成６１が中間層５１に配置される。好ましくは、磁性材料の高さ（すなわち、深さ）は変わり、コイル構成３１の電線の密度（単位長さ当たりの数）がより高い領域の上（すなわち、後ろ）でより大きい。
【００４０】
好ましくは、補償材料７１は、磁性材料６１及び補償材料７１の全構成の高さが一定となるか、または少なくとも磁性材料６１の高さより変化が少なくなるように、磁性材料６１の高さがより小さいところに配置される。
【００４１】
図３に示す特定の実施形態では、中間層５１について上述した特徴を有することができる第２の中間層８１は、磁性材料６１または補償材料７１の上に配置される。
【００４２】
アルミニウムなどの導電性材料から作られる遮蔽層９１は、第２の中間層８１の上に配置される。遮蔽層９１は切抜き部９５を有し、保持装置１２の支柱の少なくとも幾つかは切抜き部９５を通って延在することができる。幾つかの切抜き部または切抜き部の領域９６は、コイル構成３１と遮蔽層９１の上に配置される電気回路１１１との間の電気接続の区間を配置するために使用することができる。
【００４３】
回路構成１１１は従来の回路基板のようなシート状の運搬体１０１上に配置される。運搬体１０１に切抜き部１００が存在し、回路構成１１１とコイル構成３１との間の電気的接続が切抜き部１００を通って延在できる。
【００４４】
図３に示す特定の実施形態では、運搬体１１１及び遮蔽層９１は、受け取り装置の内部部品の全構成が保持装置１２に固定されるように、運搬体１０１を保持装置１２の支柱に固定することを可能にする孔９７または他の切抜き部を備える。具体的には、電気回路構成１１１は、運搬体に例えば半田付けによって固定することができ、保持装置１２はケースの基板２に接着またはねじ止めなどによって固定することができる。運搬体１０１を保持装置１２の支柱に固定するためにも、ねじを使用するのが好ましい。
【００４５】
コイル構成３１の好ましい実施形態を図４に示す。コイル構成は６つのコイル３３ａ、３３ｂ、３５ａ、３５ｂ、３７ａ、３７ｂ、つまり１つの位相線３２、３４、３６当たり２つのコイルからなる。各位相線のコイルは受け取り装置の同じ高さ面上に互いに隣接して配置される。図４はコイル構成３１の分解図を示す。
【００４６】
１つの位相の２つのコイルを形成するために、それぞれの位相線３２、３４、３６は、占有される領域の周りを第１のコイルの端から開始して巻かれて第１のコイルを形成し、更に第２のコイルによって占有される領域の周りに延在して第２のコイルを形成する。図４に示す例では、各コイルは２〜５の巻回を備えることができる。位相線３２、３４、３６の巻き数は図には示されていない。
【００４７】
前述のように、異なる位相のコイルはコイル構成３１の中間領域で部分的に互いに重なる。位相線３２、３４、３６はコイルが重なる場所では一方が他方の上に配置される。両縦方向側面を接続する異なる位相線３２、３４、３６の横方向に延在する区間は、完成したコイル構成３１において同じ高さ面上に配置されるので、少なくとも位相線３４、３６はコイルの両縦方向側面に隣接するそれらの延在に沿って上がる。保持装置１２は、位相線のこれらの横方向に延在する区間を支え、同じ高さ面上にある空間を規定する。
【００４８】
位相線３２、３４、３６はその表面が電気的に絶縁されることが好ましいが、異なる位相のコイル３３、３５、３７を、スペーサ４１、４２、４３を使用して重ねて配置するのが好ましい。これらのスペーサは、重ねて配置される位相線３２、３４、３６の間に配置される。具体的には、３タイプのスペーサが存在する。第１のタイプ４１は、第２の位相の位相線３４がコイル構成３１の縦方向側面に沿って第１の位相の位相線３２の上に配置されるところに使用される。スペーサの第１のタイプ４１は細長く、縦方向側面に沿うと同時に位相線３２、３４に沿って延在して、位相線３２と３４との間に距離を形成する。スペーサの第１のタイプ４１は一定の断面を有する。このスペーサは第１の位相の第２のコイル３３ｂに対して使用される。
【００４９】
スペーサの第２のタイプ４２は一定の断面を有さないが、図４の右側に示す端部領域が他の区間に比べて著しく高い。スペーサ４２がより高いところでは、第１の位相の第１のコイル３３ａは第３の位相の第１のコイル３７ａを支える。スペーサ４２の高さがより低いところでは、第１の位相の第１のコイル３３ａは第２の位相の第１のコイル３５ａを支える。
【００５０】
スペーサの第３のタイプ４３も一定でない、変動する断面を有する。スペーサ４３の端部領域は他の領域よりも高い。高さがより高いところでは、第２の位相の第２のコイル３５ｂはコイル構成３１の上に配置される受け取り装置の他の部品を支える。スペーサ４３の高さが低いところでは、第２の位相の第２のコイル３５ｂまたは第１のコイル３５ａは第３の位相の第１または第２のコイル３７ａ、３７ｂを支える。
【００５１】
具体的には、スペーサ４１、４２、４３の数はコイル当たりの巻き数に依存する。巻き数は構成の異なる実施形態で異なる可能性があるので、図４は異なるタイプのスペーサ４１、４２、４３の様々な数を示す。しかしながら、実際上は、全てのコイルは同じ巻き数を備えており、その結果、各タイプのスペーサ数は等しいことが好ましい。
【００５２】
第２の位相のコイル３５ａ、３５ｂは第１の位相のコイル３３ｂの縦方向の区間に完全に重なる。コイル３５ａ、３５ｂがコイル３３ａ、３３ｂの上に配置される場合、コイル３５ｂの側面において横方向に延在する区間は、第１の位相の第２のコイル３３ｂによって占められる領域の外側に配置される。第１のコイル３５ａ及び第２のコイル３５ｂの区間を含む第２の位相の横方向に延在する区間は、第１の位相の第２のコイル３３ｂの位相線３２が周りに延在する領域に配置される。第２の位相の第１のコイル３５ａの横方向に延在する区間は、第１の位相の第１のコイル３３ａの位相線３２が周りに延在する領域に配置される。対応する構成は図３から認識され得る。すなわち、コイルの横方向に延在する区間は、別のコイルの隣接する横方向に延在する区間から、いずれも少なくとも１つの支柱によって分離される。図示の例では、２つの隣接する横方向に延在する区間の間には、いずれも５つの支柱が存在する。
【００５３】
第２の位相のコイル３５及び第３の位相のコイル３７は、第１の位相及び第２の位相と同様に、互いに対してシフトしているが、縦方向のシフトの長さは第１及び第２の位相のシフトの長さの２倍の大きさである。その結果、第３の位相の第１のコイル３７ａの側面において横方向に延在する区間は、第１の位相の第１のコイル３３ａの位相線３２が周りに延在する領域の外に配置される。一方、第１の位相に対する第３の位相の縦方向のシフトの長さは、第１の位相と第２の位相のシフトの長さと同じ量であるが、第１の位相のコイル構成からみた場合反対の方向に向かっている。
【００５４】
それぞれの位相のコイルを形成する位相線３２、３４、３６の少なくとも一端は、コイルから上方向に延在する線区間に接続するか、または線区間を形成する。それぞれの上方向に延在する線区間３８、３９、４０を図４に示す。位相線３２、３４、３６の他端は互いに直接接続し（図４には図示せず）、電気的中性点を形成することができる。各位相線３２、３４、３６の少なくとも一端が、上方向に延在する線区間３８、３９、４０に接続しているので、コイル構成は、受け取り装置の異なる領域（特に、より高い面）に、具体的にはケースの凸部に配置されている部品に電気的に接続することができる。具体的には、上方向に延在する線区間３８、３９、４０は、いずれも図３及び図９に示す回路構成１１１の少なくとも１つのキャパシタに接続される。
【００５５】
図５に示す基板２及び保持装置１２の拡大図は、保持装置の基盤から上方向に延在する複数の支柱１３、１４、１５を含む。保持装置１２の好ましい材料はポリマーなどのプラスチックである。好ましくは、保持装置１２の基盤は、基板２に対面する平坦な面または単に平坦な外面を形成するシート状のものである。好ましくは、保持装置１２の支柱１３、１４、１５、基盤、及び任意選択的に更なる部分（例えば、電線または電線の束を保持する保持部）は、例えば射出成型によって一体的な部品として形成される。代替的に、支柱１３、１４、１５の少なくとも１つは別個の部品として製造し、基盤に固定することができる。
【００５６】
保持装置１２は電線または電線の束を保持する保持部１６、１７を備える。個々の保持部１６、１７によって保持される電線または電線の束の数に応じて、保持部は（縦方向に）より広くまたはより狭くなる。図５に示す例では、図において左側から及び右側から最初の３つの保持部１６は、中央の３つの保持部１７より狭い。
【００５７】
支柱１３、１４、１５は、縦方向に（図５の左から右へ）延在する列、及び横方向に（図５の前から後ろへ）延在する行に配置される。支柱の各行の間、並びに最初及び最後の行を越えたところにスペースが存在し、これらのスペースはコイル構成、特に図４に示すようなコイル構成３１のコイルのそれぞれ横方向に延在する区間を受け入れるように適合される。図５に示す特定の実施形態では、縦方向に測定したこれらのスペースの幅は、同じ高さ面に相互に並んで配置される電線の区間の数に応じて変わる。従って、図４に示すコイル構成３１の観点から、最初の３つのスペースはより狭い幅を有し、その幅は具体的には保持装置１２の中央の３つのスペースの幅の半分である。
【００５８】
支柱１３、１４、１５の列は、磁性材料片及び任意選択的に補償材料片をいずれも２つの支柱の間に配置することができるように、間隔があけられる。
【００５９】
更に、支柱１３、１４、１５の少なくとも１つは、受け取り装置の他の部品を支柱、従って保持装置１２に固定するために使用することができる。
【００６０】
従って、支柱は様々な機能、具体的にはコイルの横方向に延在する各区間を分離する機能、磁性材料及び補償材料などの様々な材料片を分離する機能、及び／またはそれぞれの支柱に他の部品を固定する機能を兼ね備える。更なる可能な機能は、受け取り装置の部品を、保持装置の基盤から及び／または受け取り側の受け取り装置の基盤から分離することである。「分離すること」とはそれぞれの部品または構成要素が互いに接触できないことを意味する。縦方向、横方向、高さ方向のいずれかの方向における支柱の寸法は、それぞれ、分離される２つの構成要素または部品間の最小距離を規定する。
【００６１】
更に、前述したように、図５に示す保持装置１２の特定の実施形態は縦方向側面に沿って隆起した縁１８を含む。いずれの場合でも、縦方向側面に沿った保持装置の縁はコイル構成の対応する区間を受けるように適合される。
【００６２】
好ましくは、コイル構成の位相線を受けるスペースは、位相線が所定の位置に保持されスリップしないように、成形面、具体的には溝付き面を有する。具体的には、これらのスペースを保持装置の保持部によって提供することができる。
【００６３】
具体的には、保持装置１２の２つの支柱１５は、他の支柱１３、１４より高く、図３及び図９に示す運搬体１０１及び回路構成１１１を配置及び／または固定するのに役立つ。
【００６４】
図３に示す中間層５１（及び任意選択的に中間層７１）は図６に示すように成形される。層５１はシリコーンのような弾性材料で作ることができる。層５１は、保持装置１２の支柱１３、１４、１５の列及び行と同様に列及び行で配列される複数の切抜き２３、２４、２５を備える。好ましくは、切抜き２３、２４、２５は、支柱が切抜き２３、２４、２５の面に当接しながら切抜きを通って延在することができるようなサイズに成形される。切抜き２３、２４の面が、支柱の周囲全体でそれぞれの支柱１３、１４の面に当接するのが好ましい。受け取り装置、ひいては層５１の中央列に、支柱１５の長さより長い長さを有する切抜き２５が存在する。これは他の部品が切抜き２５を通ることを可能にする。具体的には、図４に示す上方向に延在する線区間３８、３９、４０が切抜き２５を通って延在することができる。
【００６５】
図７及び図８は、中間層５１上に配置されることになっている複数の磁性材料片６２（例えば、直方体の形状を有する片）の構成を模式的に示し、中間層５１は図６に示す中間層５１であってもよい。しかしながら、切抜き２３、２４の数及びそれらの形状は実施形態ごとに変わる可能性がある。更に、図を参照して説明したように、その構成は別のタイプの受け取り装置に使用することができる。図７及び図８に、受け取り装置で使用される内部部品とは独立に、且つ受け取り装置の内部部品の特定の寸法とは独立に、受け取り装置のコイル構成の上に磁性材料を配置する原則を示す。
【００６６】
図７において、磁性材料片６２が配置されることになっている領域６３を破線で示す。当該領域６３の第１の列に対して、片６２を図７の分解図に示す。列の中央の２つの領域６３の上に配置される片６２は４つあり、列の端の２つの領域６３上に配置される片６２は２つだけある。その結果得られた片６２の積層構造を図８に模式的に示す。全ての片６２は同じ寸法を有するので、中央の２つの積層は列の両端の２つの積層より２倍高い。磁性材料の様々な総高さを求める動機は、例えば図４に示すような異なる位相のコイルを形成する異なる位相線３２、３４、３６の重畳である。より多くの電線によって引き起こされるより高い磁界強度はより多くの磁性材料を必要とする。
【００６７】
磁性材料の様々な高さを補償するために、補償材料７２が図８に示すように配置される。
【００６８】
図７は切抜き２３、２４も示し、磁性材料が配置されることになっている領域の列が切抜き２３、２４の列の間に位置することも示す。縦方向に、磁性材料片６２が互いに当接する（図８に示す狭い間隔とは対照的に）のが好ましい。好ましいものとして、少なくとも１つの支柱（図７に示さず）、好ましくは複数の支柱がいずれも切抜き２３、２４の１つを通って延在し、それにより磁性材料片６２の列を分離する。
【００６９】
図７及び図８に示す磁界形成構成の実施形態の変形が可能である。具体的には、その構成を図６に示す中間層の１つまたは中間層のいずれかと組み合わせることは必要でない。更に、支柱は省いてもよい。更に、磁化可能な材料からなる要素の形状は異なってもよい。しかしながら、要素間の継ぎ目を有するが他の中空空間を有さない、要素のモザイクの生成を可能にする形状が好ましい。
【００７０】
図９は運搬体１０１及び運搬体１０１上に支えられ、好ましくは固定される電気回路構成１１１の拡大図を示す。複数のブロック形状のキャパシタ１１５が存在し、それらのいくつかは板のような電気的コネクタ１１６によって互いに電気的に接続される。更に、キャパシタ１１５は、それぞれのコイルに、具体的には図４に示す上向きに延在する接続区間３８、３９、４０を介して電気的に接続され、接続線１１２、１１３、１１４を介して外部装置、具体的には図１０に示す整流器１２０に電気的に接続される。これらの外部接続線１１２、１１３、１１４は図１及び図２に示す接続部７を通って導くことができる。
【００７１】
図９に示す回路構成１１１の少なくとも上部は図１及び図１０に示すケースのカバー３の凸部５内に配置することができる。縦方向側面に沿うカバー３の凸部６ａ、６ｂは、好ましくは、図４に示す回路構成３１のようなコイル構成の、少なくとも位相線及び任意選択的にスペーサの区間を受けるために使用される。
【００７２】
図１０は図１の受け取り装置１及び筐体１２１によって収容される整流器１２０を示す。具体的には、図９に示す接続線１１２、１１３、１１４は受け取り装置１を整流器１２０に接続する。
【００７３】
受け取り装置１の中央凸部５は細長く、縦軸に沿って延在し、その縦軸は整流器１２０の筐体１２１の縦軸でもある。この構成は道路用車両の車体の底面によって形成される対応する凹部に配置することができる。そのような道路用車両１４１を図１１に示す。受け取り装置の位置を参照番号１４３のブロックによって模式的に示し、整流器の位置を参照番号１４４のブロックで模式的に示す。
【００７４】
車両へエネルギーを伝送している間、生成装置１４２は磁界を、具体的には交番電磁界を生成することによって、生成する。磁界を３本の曲線によって示す。生成装置１４２に、インバータ及び／またはＡＣ／ＡＣコンバータを含んでもよい対応する装置１４５から電流が供給される。
【００７５】
図１２は、分離構造体１２の基板から上方向に延在する５つの支柱１３、１５を示し、受け取り装置の受け取り側は図の底部にある。弾性材料の層５１は基板から離れて且つ平行に延在する。図８の分解図に示すものと同様に、磁性材料片６２は層５１の上で支柱１３、１５の間に置かれる。従って、支柱１３、１５は磁性材料片６２を分離する。更に、支柱１３、１５は層５１の切抜きを通って延在する。
【００７６】
図１３は、分離構造体１２の基板から上方向に延在する３つの支柱１３、１４、１５を示し、受け取り装置の受け取り側は図の底部にある。図１２に示すものと同様に、弾性材料の層５１は基板から離れて且つ平行に延在する。図１２は、コイル構成の電線が基板と層５１との間に配置されていない構成の領域を示すが、図１３は、コイル構成の電線の束、具体的には図４に示す構成の位相線３４、３６が基板と層５１との間に配置される構成の領域を示す。その束は分離構造体１２の保持部１６、１７によって保持される。保持部１６、１７はいずれも電線３４、３６を受ける溝を形成する。受け部１６の場合、３本の電線３６が溝に並んで存在する。受け部１７の場合、５本の電線３４が溝に並んで存在する。代替の実施形態では、電線を異なる方法で、例えば１本の電線ごとに１つの溝を使用して、及び／または電線を縦方向（図１３の水平方向）に並べずに、または並べるだけでなく積層して、保持してもよい。従って、支柱１５は保持部１６、１７を分離し、且つそれによって電線３４、３６の束を分離する。更に、支柱１５は層５１の切抜きを通って延在する。
【００７７】
図１２及び図１３に示す構成の変形が可能である。例えば、図に示す素子及び部品の数及び／または寸法は変えることができる。更に、支柱は、図に示す部品または代替的に図に示す部品の少なくとも一部に加えて、受け取り装置の他の部品を分離、保持、及び／または固定するために使用することができる。
【図１】
0006280984.tif 000002
【図２】
0006280984.tif 000003
【図３】
0006280984.tif 000004
【図４】
0006280984.tif 000005
【図５】
0006280984.tif 000006
【図６】
0006280984.tif 000007
【図７】
0006280984.tif 000008
【図８】
0006280984.tif 000009
【図９】
0006280984.tif 000010
【図１０】
0006280984.tif 000011
【図１１】
0006280984.tif 000012
【図１２】
0006280984.tif 000013
【図１３】
0006280984.tif 000014